(57)【要約】【課題】  犯人のいる危険領域を容易に遮蔽して犯行の未然防止と犯人に対する速やかな対応を可能とする。【解決手段】  折り畳んだ状態で収納ケース１１内に収納されたカーテンエアバッグ２と、危険信号を発する押釦スイッチ６と、危険信号を入力したときに膨張ガスを供給してカーテンエアバッグ２を折り畳み状態から下方へ展開させるインフレータ５とを備え、展開したカーテンエアバッグ２によって危険領域を遮蔽する。カーテンエアバッグ２の展開と同時に作動して、催涙ガスを噴射する催涙ガス噴射装置や、カラーペイントを噴射するカラーペイント噴射装置４が設られる。【選択図】        図５
2006323568.tif 000002
【特許請求の範囲】
【請求項１】
折り畳んだ状態で設置された幕体と、危険信号を発する信号発生手段と、危険信号を入力したときに前記幕体を折り畳み状態から展開させる展開手段とを備え、展開した幕体によって危険領域を遮蔽するようにした防犯装置。
【請求項２】
前記幕体として車両のカーテンエアバッグを使用してこれを上方に設けた収納ケース内に折り畳んだ状態で収納し、前記展開手段として前記カーテンエアバッグに膨張ガスを供給するインフレータを使用して前記カーテンエアバッグを下方へ展開させるようにした請求項１に記載の防犯装置。
【発明の詳細な説明】
【技術分野】
【０００１】
本発明は防犯装置に関し、特に、犯人のいる危険領域を容易に遮蔽して安全を確保するようにした防犯装置に関する。
【背景技術】
【０００２】
銀行強盗等の犯人に対する防犯装置としては、犯人の衣料に塗料を付着させるもの（例えば特許文献１）や、犯人の肖像を写真撮影するもの（例えば特許文献２）等が提案されている。
【特許文献１】特開２０００−３３１２５７
【特許文献２】特開平３−２５５４３２
【発明の開示】
【発明が解決しようとする課題】
【０００３】
しかし上記従来の防犯装置はいずれも事後的なものであり、犯行の証拠が容易に残ることから犯意を牽制する効果はあるものの、犯行を直接的に未然に防止する効果は小さい。発煙等で犯人の視界を遮り、あるいは催涙ガス等で犯人を撃退することも考えられるが、この場合には、煙や催涙ガスが犯人以外の者にも影響を与えて即座の対応行動を鈍らせるという問題がある。
【０００４】
そこで、本発明はこのような課題を解決するもので、犯人のいる危険領域を容易に遮蔽して犯行の未然防止と犯人に対する速やかな対応を可能とした防犯装置を提供することを目的とする。
【課題を解決するための手段】
【０００５】
上記目的を達成するために、本第１発明では、折り畳んだ状態で設置された幕体（２）と、危険信号を発する信号発生手段（６）と、危険信号を入力したときに幕体（２）を折り畳み状態から展開させる展開手段（５）とを備え、展開した幕体（２）によって危険領域を遮蔽する。本第１発明においては、危険領域にいる犯人は、展開した幕体によって視界を遮られるために被侵入者を狙って危害を加えることができず、被侵入者は犯人の視線を受けることなく犯行に対応する措置を速やかに採ることができる。
【０００６】
本第２発明では、上記幕体として車両のカーテンエアバッグ（２）を使用してこれを上方に設けた収納ケース（１１）内に折り畳んだ状態で収納し、上記展開手段としてカーテンエアバッグ（２）に膨張ガスを供給するインフレータ（５）を使用してカーテンエアバッグ（２）を下方へ展開させるようにする。本第２発明においては、車両用のカーテンエアバッグとインフレータを使用するから、動作の迅速性と確実性が保証される。
【０００７】
本発明の防犯装置には、幕体（２）の展開と同時に作動して、催涙ガスを噴射する手段（３）や、塗料を噴射する手段（４）を設けることができる。
【０００８】
なお、上記カッコ内の符号は、後述する実施形態に記載の具体的手段との対応関係を示すものである。
【発明の効果】
【０００９】
以上のように、本発明の防犯装置によれば、犯人のいる危険領域を容易に遮蔽できるから、犯行の未然防止を図るとともに、犯人に対する速やかな対応が可能となる。
【発明を実施するための最良の形態】
【００１０】
図１には本発明の防犯装置を銀行に設置した場合の例を示す。図１において、行員ＢＣの座るデスクＤの直上の天井（図示略）に防犯装置１が設置されている。防犯装置１は収納ケース１１を備えており、当該ケース１１内に幕体２が折り畳んだ状態で収納されている。この幕体２として本実施形態では車両のカーテンエアバッグを利用している。図２には防犯装置１の正面図を示し、図３には防犯装置１の平面図を示す。
【００１１】
各図において、収納ケース１１の上面には左右位置に催涙ガス噴射装置３とカラーペイント噴射装置４が設けられている。各噴射装置３，４には電磁弁を内蔵した噴射ノズル３１，４１と、催涙ガスあるいはカラーペイントを封入した圧力タンク３２，４２とが備えられており、噴射ノズル３１，４１と圧力タンク３２，４２はそれぞれ管路３３，４３で結ばれている。なお、各噴射ノズル３１，４１は上記デスクＤ（図１）の前下方へ向けられている。収納ケース１１上にはさらに展開手段としてのインフレータ５が設置されて、これから、膨張ガスの供給ダクト５１が収納ケース１１内のカーテンエアバッグ２へ延びている。上記デスクＤ（図１）の下面には信号発生手段として押釦スイッチ６が設けてあり、当該押釦スイッチ６はインフレータ５および各噴射装置３，４の噴射ノズル３１，４１に電気的に接続されて、これらに危険信号を出力するようになっている。
【００１２】
このような構造の防犯装置において、犯人が侵入した場合にはデスクＤ下の押釦スイッチ６を押すと、インフレータ５が作動して膨張ガスがカーテンエアバッグ２に供給される。これにより、カーテンエアバッグ２が図４に示すように収納ケース１１から下方へカーテン状に大きく展開させられてデスクＤ上に垂下し（図５）、犯人ＣＭのいる危険領域を行員ＢＣから遮蔽する。同時に、催涙ガス噴射装置３の噴射ノズル３１とカラーペイント噴射装置４の噴射ノズル４１からそれぞれ催涙ガスとカラーペイントが犯人ＣＭに向けて噴射される。
【００１３】
犯人ＣＭは展開したカーテンエアバッグ２によって視界を遮られるために行員ＢＣを狙って危害を加えることができず、一方、行員ＢＣは犯人ＣＭの視線を受けることなく犯行に対抗する次の措置を速やかに採ることができる。犯人ＣＭは噴射された催涙ガスによって犯意を喪失させられるとともに、逃走しても、衣服に付着させられたカラーペイントによって犯人であることが容易に識別される。なお、噴射された催涙ガスやカラーペイントは、展開されたカーテンエアバッグ２に遮られて行員ＢＣに直接影響を及ぼすことはなく、これにより行員ＢＣは迅速な対抗措置を採ることができる。
【００１４】
本実施形態では本発明の防犯装置を銀行に設置した場合について説明したが、広く事務所等における防犯装置として使用することができることは言うまでもない。また、幕体および展開手段としては、車両用のカーテンエアバッグとインフレータを使用するのが、動作の迅速性と確実性の点から好ましいが、必ずしもこれに限られるものではない。
【図面の簡単な説明】
【００１５】
【図１】本発明の一実施形態を示す、防犯装置を設けた銀行内の概略側面図である。
【図２】防犯装置の概略正面図である。
【図３】防犯装置の概略平面図である。
【図４】カーテンエアバッグが展開された状態を示す概略正面図である。
【図５】カーテンエアバッグが展開された状態を示す概略側面図である。
【符号の説明】
【００１６】
1…防犯装置、１１…収納ケース、２…カーテンエアバッグ、３…催涙ガス噴射装置、４…カラーペイント噴射装置、５…インフレータ、６…押釦スイッチ。
【図１】
2006323568.tif 000003
【図２】
2006323568.tif 000004
【図３】
2006323568.tif 000005
【図４】
2006323568.tif 000006
【図５】
2006323568.tif 000007